(57)【要約】【課題】押入れ内における結露の防止と同時に防カビ、防ダニ、抗菌防臭等の効果が得られる機能性シートを提供すること。【解決手段】表裏２枚のシート基材１１、１２の略全面間に亘って、トルマリンの微粉と窯土類の微砂、吸放水ポリマーの微粉及び粘着剤、分散剤の混合物層１３が略平面的に規則的又は不規則的配列をもって設けられ構成された一対のトルマリン加工シート体１０と、表裏２枚のポリエチレン等の樹脂シート基材２１、２２と、該樹脂シート基材２１、２２間に挟まれ高周波シールされて空気が密閉された気泡状部２４が規則的に又は不規則的に形成された中間樹脂シート基材２３から構成された樹脂製気泡シート体２０とを含み、前記一対のトルマリン加工シート体１０が前記樹脂製気泡シート体２０の両面に対称状に接着されて構成されている。【選択図】        図１
2004338324.tif 000002
【特許請求の範囲】
【請求項１】
コットン或いは不織布等の表裏２枚のシート基材（１１）、（１２）の略全面間に亘って、トルマリンの微粉と窯土類の微砂、吸放水ポリマーの微粉及び粘着剤、分散剤の混合物層（１３）が略平面的に規則的又は不規則的配列をもって設けられ構成された一対のトルマリン加工シート体（１０）と、表裏２枚のポリエチレン等の樹脂シート基材（２１）、（２２）と、該樹脂シート基材（２１）、（２２）間に挟まれ高周波シールされて空気が密閉された気泡状部（２４）が規則的に又は不規則的に形成された中間樹脂シート基材（２３）から構成された樹脂製気泡シート体（２０）と
を含み、
前記一対のトルマリン加工シート体（１０）が前記樹脂製気泡シート体（２０）の両面に対称状に接着されて成る機能性シート。
【発明の詳細な説明】
【０００１】
【発明の属する技術分野】
本発明は、主に押入れの床面や周囲壁面、更には天井面に施工して用いられ、蒲団や床面、周囲壁面、天井面等押入れ内への湿気の防止や防カビ、防ダニ等の効果が得られる機能性シートに関するものである。
【０００２】
【従来の技術】
トルマリン（Ｔｏｕｒｍａｌｉｎｅ）は、鉱石の１種で、電子を流し続けるところから日本名では「電気石」と呼ばれ、このトルマリンは圧力や温度変化等を受けると微電流が流れ、マイナスイオンを発生する特性を有し、又トルマリンは抗菌、防カビ、防ダニ、消臭、脱臭等の諸効果があることも知られている。
【０００３】
そこで、本発明者は、先にこのトルマリンの効果を利用したトルマリンシートについて考案し、実用新案登録出願（実願２００２−０００６９５）をし、実用新案登録（登録第３０８７９８９号）を取得した。
【０００４】
この実用新案登録に係るトルマリンシートは、表裏２枚の通気性シート基材の間にトルマリンの微粉と窯土類の微砂の混合物が略全面に亘り略平面的に規則的或いは不規則的配列で接着剤を介して接合された構造のものである。
【０００５】
このトルマリンシートを、押入れの床面や周囲壁面、更には天井面に施工して用いれば、或る程度の抗菌、防ダニ効果や消臭効果は得られるものの、押入れ床面や周囲壁面、更には天井面からの湿気を防止することができず、結露やカビ等が発生し、特に寒冷地においては顕著であった。
【０００６】
【発明が解決しようとする課題】
本発明は、先の実用新案登録第３０８７９８９号に係るトルマリンシートと脂製気泡シートとを結合することにより、押入れ内における蒲団や床面、周囲壁面、天井面への湿気の侵入を防いで、結露の発生を防止し、同時に防カビ、防ダニ、抗菌防臭等の効果が得られる押入れ用として好適な機能性シートを提供することを目的とするものである。
【０００７】
【課題を解決するための手段】
この目的のため、本発明の請求項１に記載の機能性シートは、コットン或いは不織布等の表裏２枚のシート基材１１、１２の略全面間に亘って、トルマリンの微粉と窯土類の微砂、吸放水ポリマーの微粉及び粘着剤、分散剤の混合物層１３が略平面的に規則的又は不規則的配列をもって設けられ構成された一対のトルマリン加工シート体１０と、表裏２枚のポリエチレン等の樹脂シート基材２１、２２と、該樹脂シート基材２１、２２間に挟まれ高周波シールされて空気が密閉された気泡状部２４が規則的に又は不規則的に形成された中間樹脂シート基材２３から構成された樹脂製気泡シート体２０とを含み、前記一対のトルマリン加工シート体１０が前記樹脂製気泡シート体２０の両面に対称状に接着されて成る構成を特徴とするものである。
【０００８】
【発明の実施の形態】
本発明の実施の形態について図面を参照し、その作用と共に説明する。
【０００９】
図１は本発明に係る機能性シートの一例での一部省略の拡大断面図、図２は一対のトルマリン加工シート体の一部省略の平面図、図３は図２の３−３線に沿った一部省略の拡大断面図、図４は樹脂製気泡シート体の一部省略の平面図、図５は図４の部分拡大断面図である。
【００１０】
図１において、本発明に係る機能性シートは、一対のトルマリン加工シート体と樹脂製気泡シート体を含んでいる。
【００１１】
一対のトルマリン加工シート体１０は、表裏２枚のシート基材１１、１２の略全面間に亘って、トルマリンの微粉と窯土類の微砂、吸放水ポリマーの微粉及び粘着剤、分散剤の混合物層１３が略平面的に規則的又は不規則的配列をもって設けられたものである。
【００１２】
シート基材１１、１２としては、強靭にして、通気性を有する木綿或いは不織布が好ましいが、通気性が良好で、強度も有り、混合物層１３との接合性が良ければ他のシート材であっても良い。
【００１３】
シート基材１１、１２は、目付け１平方メートルあたり４０グラムのコットンが用いられる。
【００１４】
トルマリンとしては、六方晶系の極性構造体であるショールトルマリンが好ましいが、リチアトルマリン或いはトラバイトトルマリンでもよい。
【００１５】
トルマリンの粉末の粒子径は３ミクロン程度が性能上最も好ましいが、それ以上でも以下でも効能は発揮される。
【００１６】
窯土類の微粉は、Ｏ、Ｎａ、Ｍｇ、Ａｌ、Ｓｉ、Ｋ、Ｃａ、Ｔｉ、Ｖ、Ｍｎ、Ｆｅ、Ｎｉ、Ｃｕ、Ｚｎ、Ｓｒ等の元素を含む土であり、これらを焼結後粉砕して微砂としたが、他の方法で微砂化してもよい。
【００１７】
窯土の微砂は、トルマリンに対して５対１の割合で混ぜた場合に、トルマリンのマイナスイオン効果を次第に引き出せるが、それ以外の混合比でもよい。
【００１８】
吸放水ポリマーは、吸放湿の平衡点が相対湿度６０％程度のものが好ましく、このような吸放水ポリマーを粉末状にして、トルマリン微粉と窯土の微砂の混合物に混合させるか、吸放水ポリマーに油や安定剤やアルコールを混入してなる溶液をシート基材にコーティングする等の手段によって、トルマリンのイオン効果を促進する。
【００１９】
なお、吸放水ポリマーの使用量については、吸放水ポリマーの種類によって異なるので、特に限定しない。
【００２０】
樹脂製気泡シート体２０は、図３及び図４に例示されているように、全体がポリエチレン、ポリプロピレン等の樹脂製であって、表裏２枚の樹脂シート基材２１、２２と、該樹脂シート基材２１、２２間に挟まれ高周波シートされて空気が密閉された気泡状部２４が規則的又は不規則的に形成された中間樹脂シート基材２３から構成されている。
【００２１】
このように構成された樹脂製気泡シート体２０は、その気泡状部２４内の動かない空気層によって冷気が遮断されるので、結露防止機能を有する。
【００２２】
そして、この樹脂製気泡シート体２０の表裏両面に、一対のトルマリン加工シート体１０がそれぞれ両面粘着テープ等を介して対称状に接着されて、本機能性シートとされている。
【００２３】
本機能性シートは、例えば、入梅時等において、湿気がこもる押入れ用として床面、周囲壁面等に施工して用いれば、冷気は樹脂製気泡シート体２０における気泡状部２４内の動かない空気層によって遮断されるので、蒲団は湿気を含まず、結露は防止され、更に両面のトルマリン加工シート体１０による吸放湿作用等の機能によって抗菌、消臭、防カビ、防ダニ等の効果が得られる。
【００２４】
【発明の効果】
しかして、本発明によれば、湿気がこもって結露の発生し易い押入れ内の床上に敷いてその上に蒲団を重ね置き、或いは押入れ内周囲の壁等に施工して用いれば、蒲団への湿気は勿論のこと、結露の発生も防止することができ、同時に抗菌、消臭、防カビ、防ダニ等の諸効果も得られる。
【図面の簡単な説明】
【図１】本発明に係る機能性シートの一例での一部省略の拡大断面図である。
【図２】一対のトルマリン加工シート体の一部省略の平面図である。
【図３】図２の３−３線に沿った一部省略の拡大断面図である。
【図４】樹脂製気泡シート体の一部省略の平面図である。
【図５】図４の部分拡大断面図である。
【符号の説明】
１０    一対のトルマリン加工シート体
１１、１２    シート基材
１３    混合物層
２０    樹脂製気泡シート体
２１、２２    樹脂シート基材
２３    中間樹脂シート基材
２４    気泡状部
【図１】
2004338324.tif 000003
【図２】
2004338324.tif 000004
【図３】
2004338324.tif 000005
【図４】
2004338324.tif 000006
【図５】
2004338324.tif 000007